(57)【要約】【課題】接続された電力源に応じた電源オフ処理の実行を可能とする。【解決手段】データを記憶可能な記憶部１２を備え、ＡＣ電源３０から供給される電力により情報処理を行う画像形成装置１０において、電源系統に異常が発生したときに当該画像形成装置１０に電力を供給するＵＰＳ２０を接続可能であって、ＵＰＳ２０の接続の有無を検出するＵＰＳ検出部１３と、異常が発生した際に、ＵＰＳ検出部１３によりＵＰＳ２０の接続が有ると検出される場合には、予め定められた所定手順で記憶部１２の動作を終了させる一方、ＵＰＳ検出部１３によりＵＰＳ２０の接続が無いと検出される場合には、記憶部１２の動作を強制終了させるメイン制御部１５と、を備える。【選択図】図２
2020042535.tif 000002
【特許請求の範囲】
【請求項１】
データを記憶可能なストレージを備え、商用電源から供給される電力により情報処理を行う情報処理装置において、
電源系統に異常が発生したときに当該情報処理装置に電力を供給する無停電電源装置を接続可能であって、
前記無停電電源装置の接続の有無を検出する検出部と、
前記異常が発生した際に、前記検出部により前記無停電電源装置の接続が有ると検出される場合には、予め定められた所定手順で前記ストレージの動作を終了させる一方、前記検出部により前記無停電電源装置の接続が無いと検出される場合には、前記ストレージの動作を強制終了させる制御部と、
を備えることを特徴とする情報処理装置。
【請求項２】
前記制御部は、
前記無停電電源装置の接続時、又は、予め定められた所定周期において、前記検出部により前記無停電電源装置の接続の有無を検出し、その検出結果に基づいて、前記無停電電源装置の接続の有無を判断することを特徴とする請求項１に記載の情報処理装置。
【請求項３】
前記無停電電源装置とは電源ケーブルを介して接続され、
前記電源ケーブルには、電源線とは異なる信号線が含まれ、
前記信号線は、前記無停電電源装置から当該無停電電源装置が接続されていることを通知する通知信号を通すことを特徴とする請求項１又は２に記載の情報処理装置。
【請求項４】
前記制御部は、前記異常が発生した際に、前記検出部により前記無停電電源装置の接続が有ると検出された場合、前記ストレージの動作を終了させている間は、前記所定手順の終了処理の実行部以外への電力の供給を停止することを特徴とする請求項１から３のいずれか一項に記載の情報処理装置。
【請求項５】
前記無停電電源装置は、ラインインタラクティブ方式であることを特徴とする請求項１から４のいずれか一項に記載の情報処理装置。
【請求項６】
用紙に画像を形成する画像形成装置であることを特徴とする請求項１から５のいずれか一項に記載の情報処理装置。
【請求項７】
データを記憶可能なストレージを備え、商用電源から供給される電力により情報処理を行い、電源系統に異常が発生したときに電力を供給する無停電電源装置を接続可能な情報処理装置のコンピューターを、
前記無停電電源装置の接続の有無を検出する検出部、
前記異常が発生した際に、前記検出部により前記無停電電源装置の接続が有ると検出される場合には、予め定められた所定手順で前記ストレージの動作を終了させる一方、前記検出部により前記無停電電源装置の接続が無いと検出される場合には、前記ストレージの動作を強制終了させる制御部、
として機能させるプログラム。
【発明の詳細な説明】
【技術分野】
【０００１】
本発明は、情報処理装置及びプログラムに関する。
【背景技術】
【０００２】
ストレージ（ＳＳＤ／ＨＤＤ）の搭載された装置では、ストレージへのアクセス中に、電力源である商用電源（ＡＣ電源）からの電力供給が停電等により突然遮断した場合、ファイルが壊れてしまうことがある。
従来、その対策として、ＡＣ電源検出手段とコンデンサーを搭載し、停電時、ＡＣ電源遮断信号をトリガーとして緊急的に電源オフするための処理（強制終了処理）を実施し、システムの電源を強制的にオフさせる方式を採用した装置がある。ただし、この方式であっても、ファイルの破損確率は低くなるものの、アクセス中のファイルを完全に守りきれるわけではない。
【０００３】
そこで、アクセス中のファイルを完全に保護するため、無停電電源装置（ＵＰＳ：Uninterruptible Power Supply)）を使用することが提案されている（例えば、特許文献１参照）。
ＵＰＳには、常時インバータ給電方式と呼ばれる方式のものがある。装置と商用電源との間にこの常時インバータ給電方式のＵＰＳを接続することで、停電等が発生した際、ＵＰＳに搭載されたバッテリーから装置に電力が供給され、通常手順での電源オフ処理を実施することが可能となる。
ところが、この方式のＵＰＳは非常に高価であるため、使用者があえてこれを導入しない場合がある。このため、比較的安価なラインインタラクティブ方式と呼ばれるＵＰＳの使用が検討されている。
【先行技術文献】
【特許文献】
【０００４】
【特許文献１】特開平５−７２８４４号公報
【発明の概要】
【発明が解決しようとする課題】
【０００５】
しかしながら、このラインインタラクティブ方式のＵＰＳを使用した場合、図６に示すように、停電等が発生して電力源をバッテリーに切り替えたときに、瞬間的に供給電力が不安定になる。すなわち、瞬間的に電圧降下が起こり、いわゆる瞬断が発生する。
この際、ＵＰＳの接続先の装置は、瞬断と停電とを区別できず、ＵＰＳがあったとしても緊急的な強制終了処理を行い、強制電源オフすることになってしまう。
【０００６】
本発明の課題は、接続された電力源に応じた電源オフ処理の実行を可能とすることである。
【課題を解決するための手段】
【０００７】
上記課題を解決するため、本発明は、
データを記憶可能なストレージを備え、商用電源から供給される電力により情報処理を行う情報処理装置において、
電源系統に異常が発生したときに当該情報処理装置に電力を供給する無停電電源装置を接続可能であって、
前記無停電電源装置の接続の有無を検出する検出部と、
前記異常が発生した際に、前記検出部により前記無停電電源装置の接続が有ると検出される場合には、予め定められた所定手順で前記ストレージの動作を終了させる一方、前記検出部により前記無停電電源装置の接続が無いと検出される場合には、前記ストレージの動作を強制終了させる制御部と、
を備えることを特徴とする。
【０００８】
また、本発明は、
データを記憶可能なストレージを備え、商用電源から供給される電力により情報処理を行い、電源系統に異常が発生したときに当該装置に電力を供給する無停電電源装置を接続可能な情報処理装置のコンピューターを、
前記無停電電源装置の接続の有無を検出する検出部、
前記異常が発生した際に、前記検出部により前記無停電電源装置の接続が有ると検出される場合には、予め定められた所定手順で前記ストレージの動作を終了させる一方、前記検出部により前記無停電電源装置の接続が無いと検出される場合には、前記ストレージの動作を強制終了させる制御部、
として機能させるプログラムである。
【発明の効果】
【０００９】
本発明によれば、接続された電力源に応じた電源オフ処理の実行が可能となる。
【図面の簡単な説明】
【００１０】
【図１】画像形成装置と電力源との接続状態を示す図である。
【図２】画像形成装置の機能構成を示すブロック図である。
【図３】ＵＰＳの機能構成を示すブロック図である。
【図４】画像形成装置の動作を示すフローチャートである。
【図５】異常発生時の電力供給状況と処理の流れを示す図である。
【図６】従来の問題を説明するための図である。
【発明を実施するための形態】
【００１１】
以下、本発明の実施の形態について図面を参照して説明する。ただし、発明の範囲は、図示例に限定されない。
【００１２】
［画像形成装置の構成］
まず、本実施の形態における情報処理装置としての画像形成装置１０の構成について説明する。
画像形成装置１０は、用紙に画像を形成する機能を備え、例えばオフィス等に設置されて利用される装置である。
【００１３】
図１（ａ）及び図１（ｂ）は、画像形成装置１０と電力源１０Ａとの接続状態を示す図である。
図１（ａ）に示すように、画像形成装置１０は、電源ケーブルＣＡを介して、電力源１０Ａとしての商用電源（ＡＣ電源）３０と接続されて電力が供給されるものである。
また、図１（ｂ）に示すように、画像形成装置１０は、無停電電源装置（ＵＰＳ）２０を介して、ＡＣ電源３０と接続することができる。ＵＰＳ２０は、画像形成装置１０の予備電源装置であり、電源ケーブルＣＡを介して画像形成装置１０及びＡＣ電源３０に接続可能である。図１（ｂ）のケースでは、ＵＰＳ２０とＡＣ電源３０が、画像形成装置１０の電力源１０Ａである。
【００１４】
図２は、画像形成装置１０の機能構成を示すブロック図である。
図２に示すように、画像形成装置１０は、例えば、画像形成部１１、記憶部１２、ＵＰＳ検出部１３、電力制御部１４、及びメイン制御部１５等を備えている。
【００１５】
画像形成部１１は、原稿から画像を読み取って得られた画像データ、又は、外部装置から受信した画像データに基づいて、用紙に対して画像形成を行う。
画像形成部１１は、例えば、回転中の感光体に対し、帯電、露光、現像、転写及びクリーニングを順次行う電子写真式により用紙に画像を形成するための公知の構成を備えるが、画像形成の方式としては、電子写真方式に限られるものではない。例えば、インクジェット方式により用紙に画像を形成しても良い。
【００１６】
記憶部１２は、例えば、ＳＳＤ(solid state drive）やＨＤＤ（Hard Disk Drive）などの不揮発性のストレージを備える。
記憶部１２は、メイン制御部１５により実行される各種プログラムを記憶しているほか、各種プログラムを実行するために必要なパラメーターやデータを記憶している。
例えば、記憶部１２は、画像形成処理に係るジョブデータ、画像データ等をメイン制御部１５から読み書き可能に記憶する。
【００１７】
ＵＰＳ検出部１３は、ＵＰＳ２０が接続されていることを検出する手段であり、画像形成装置１０にＵＰＳ２０が接続された状態において、そのＵＰＳ２から送信されてくるＵＰＳ通知信号を受信する。
【００１８】
電力制御部１４は、ＡＣ電源３０或いはＵＰＳ２０から供給された電力を、画像形成装置１０内の各部に供給する。
具体的に、電力制御部１４は、ＡＣ−ＤＣ変換部、コンデンサー等を備え、供給された電力（交流電圧）を整流して直流電圧に変換し、画像形成部１１、記憶部１２及びメイン制御部１５等に供給する。
【００１９】
また、電力制御部１４は、ＡＣ電源検出部１４１を備える。
ＡＣ電源検出部１４１は、画像形成装置１０にＡＣ電源３０からの電力が供給されているかどうかを検出する手段であり、ＡＣ電源３０の遮断を検出した場合、メイン制御部１５に、ＡＣ電源遮断信号を出力する。
具体的には、ＵＰＳ２０が接続されていない場合、ＡＣ電源検出部１４１は、ＡＣ電源３０から入力される電力（交流電圧）が所定レベルより低くなった場合、ＡＣ電源３０が遮断したことを検出し、ＡＣ電源遮断信号を出力する。
一方、ＵＰＳ２０が接続されている場合、ＡＣ電源検出部１４１は、ＵＰＳ２０から出力された停電信号に応じて、ＡＣ電源遮断信号を出力する。
【００２０】
メイン制御部１５は、ＣＰＵ（Central Processing Unit）、ＲＡＭ（Random Access Memory）等を備えて構成される。
ＣＰＵは、記憶部１２に記憶されている各種プログラムをＲＡＭに展開し、ＲＡＭに展開した各種プログラムとの協働により、画像形成装置１０の動作を統括的に制御する。例えば、メイン制御部１５は、画像形成部１１を制御して、画像データに基づいて用紙に画像を形成させる。
このメイン制御部１５は、ＡＣ電源検出部１４１を常時監視しており、ＡＣ電源検出部１４１からＡＣ電源遮断信号が出力された場合には、直ちに、後述する電源ＯＦＦ処理を実行する。
【００２１】
なお、画像形成装置１０は、用紙に画像を形成する機能以外の機能を有するものであっても良いのは勿論である。例えば、画像形成装置１０としては、プリンター、スキャナー、コピー、ファクシミリ、ドキュメント管理など様々な機能が備わった、複合機あるいはＭＦＰ（Multi-Function Peripherals）と呼ばれる画像形成装置であっても良い。
【００２２】
図３は、ＵＰＳ２０の機能構成を示すブロック図である。
ＵＰＳ２０は、例えば、ラインインタラクティブ方式の無停電電源装置である。ＵＰＳ２０は、通常時（停電等の異常が発生していない時）、ＡＣ電源３０からの電力を画像形成装置１０に供給する。また、ＵＰＳ２０は、電源系統に異常（停電等）が発生すると、画像形成装置１０に停電信号を送信し、電力の供給先を内蔵バッテリ（図３のバッテリー２２）に切り換えて、電力を画像形成装置１０に供給する。
【００２３】
具体的には、図３に示すように、ＵＰＳ２０は、ＵＰＳ制御部２１、バッテリー２２、ＵＰＳ通知部２３を備えて構成される。
【００２４】
ＵＰＳ制御部２１は、ＡＣ電源３０が正常な時には、インバータを通して負荷である画像形成装置１０に安定して電力を供給する。同時にバッテリー２２が充電されていない場合は充電を行う。
一方、ＵＰＳ制御部２１は、ＡＣ電源３０からＵＰＳ２０に入力される電力（交流電圧）が所定レベルより低くなった場合、ＡＣ電源３０に異常が発生したと判断し、バッテリー２２に充電された電力をインバータで変換し画像形成装置１０に対して電力供給する。このとき同時に、画像形成装置１０に対して停電信号（ＡＣ電源遮断信号）を発信する。
【００２５】
バッテリー２２は、画像形成装置１０が動作している際にＡＣ電源３０からの電力供給が停止しても、画像形成装置１０を通常手順で電源ＯＦＦできるだけの電力を供給可能な電力容量を持つ二次電池である。
【００２６】
ＵＰＳ通知部２３は、当該ＵＰＳ２０が画像形成装置１０に接続された状態において、ＵＰＳ通知信号を画像形成装置１０に送信する。
なお、ＵＰＳ２０と画像形成装置１０とを接続する電源ケーブルＣＡに、電源線とは異なる信号線が含まれ、この信号線によりＵＰＳ通知信号が送信される構成とすることが好ましい。
このようにすることで、ＵＰＳ２と画像形成装置１０の間の電源ケーブルＣＡが誤って抜けた時は通信が切れるので、ＵＰＳ２が接続されていないにも関わらず、ＵＰＳ２０が有ると判断されてしまうのを防止することができる。
【００２７】
［画像形成装置の動作］
次に、本実施の形態における画像形成装置１０の動作について説明する。
【００２８】
上述したように、画像形成装置１０は、ＵＰＳ２が接続されても、接続されなくても良く、停電等の異常が発生したときに、ＵＰＳ２０の接続の有無（すなわち、電力源１０Ａの接続状態）を判断し、その結果に応じた電源ＯＦＦ処理を行うものである。
【００２９】
図４は、上記電源ＯＦＦ処理示すフローチャートである。
また、図５（ａ）は、ＵＰＳ２０が接続されていない場合の、電力供給状況と処理の流れを示す図であり、図５（ｂ）は、ＵＰＳ２０が接続されている場合の、電力供給状況と処理の流れを示す図である。
この処理は、例えば、停電等の異常が発生したときに、ＡＣ電源遮断信号を受信したことをトリガーとして、メイン制御部１５と記憶部１２に記憶されているプログラムとの協働によって実行される。
【００３０】
まず、メイン制御部１５は、ＵＰＳ２０が接続されているか否かを判断する（ステップＳ１）。具体的には、ＵＰＳ検出部１３によりＵＰＳ通知信号が受信された場合、ＵＰＳ２０が接続されていると判断する。
【００３１】
そして、ＵＰＳ２０が接続されていないと判断した場合（ステップＳ１：ＮＯ）、メイン制御部１５は、電力制御部１４のコンデンサーに蓄積された電力により、緊急的に電源オフするための処理（スリープ、スタンバイ、ヘッド退避、キャッシュフラッシュ等のコマンド出力）を行い、記憶部１２の動作を強制終了させ（ステップＳ２）、画像形成装置１０の電源をＯＦＦし（ステップＳ３）、本処理を終了する。
すなわち、図５（ａ）に示すように、ＵＰＳ２０が接続されていない場合には、ＡＣ電源遮断信号が出力されると、強制終了処理が実施され、画像形成装置１０の電源がＯＦＦされる。
【００３２】
一方、ＵＰＳ２０が接続されていると判断した場合（ステップＳ１：ＹＥＳ）、メイン制御部１５は、ＵＰＳ２０から供給された電力により、予め定められた所定手順（通常手順）の処理（書き込み、スリープ、システム全体のリセット等）を行い、記憶部１２の動作を通常終了させ（ステップＳ４）、画像形成装置１０の電源をＯＦＦし（ステップＳ５）、本処理を終了する。
すなわち、図５（ｂ）に示すように、ＵＰＳ２０が接続されている場合には、ＡＣ電源遮断信号が出力されると、通常手順での終了処理が実施され、画像形成装置１０の電源がＯＦＦされる。ここで、ラインインタラクティブ方式のＵＰＳ２０の場合、電力の供給先をバッテリー２２に切り替えたときに瞬断が発生するものの、通常手順の処理が行われることとなる。
【００３３】
なお、メイン制御部１５は、ＵＰＳ２０の接続が有ると検出された場合であって、通常手順での終了処理を実施している間、その終了処理を行う実行部位以外への電力の供給を停止することが好ましい。例えば、画像形成部１１などに電力が供給されるのを停止することが好ましい。
このようにすることで、記憶部１２の動作を終了させている間に、モーターや定着ヒータなど消費電力が大きい画像形成部１１等に電力が供給されるのを防ぐことができ、バッテリー容量が足りなくなるのを防止することができる。
【００３４】
［本実施の形態の技術的効果］
以上のように、本実施の形態によれば、データを記憶可能な記憶部１２を備え、ＡＣ電源３０から供給される電力により情報処理を行う画像形成装置１０において、電源系統に異常が発生したときに当該画像形成装置１０に電力を供給するＵＰＳ２０を接続可能であって、ＵＰＳ２０の接続の有無を検出するＵＰＳ検出部１３と、異常が発生した際に、ＵＰＳ検出部１３によりＵＰＳ２０の接続が有ると検出される場合には、予め定められた所定手順で記憶部１２の動作を終了させる一方、ＵＰＳ検出部１３によりＵＰＳ２０の接続が無いと検出される場合には、記憶部１２の動作を強制終了させるメイン制御部１５と、を備える。
このため、ＵＰＳ２０の接続の有無に基づいて、通常の終了処理又は強制終了処理が行われるため、接続された電力源に応じた電源オフ処理の実行が可能となる。
【００３５】
また、本実施の形態によれば、画像形成装置１０とＵＰＳ２０とは電源ケーブルＣＡを介して接続されており、電源ケーブルＣＡには、電源線とは異なる信号線が含まれ、信号線は、ＵＰＳ２０から当該ＵＰＳ２０が接続されていることを通知する通知信号を通す。
このため、ＵＰＳ２と画像形成装置１０の間の電源ケーブルＣＡが誤って抜けた場合には通信が切れるので、ＵＰＳ２が接続されていないにも関わらず、ＵＰＳ２０が有ると判断されてしまうのを防止することができる。
【００３６】
また、メイン制御部１５は、異常が発生した際に、ＵＰＳ検出部１３によりＵＰＳ２０の接続が有ると検出された場合、記憶部１２の動作を終了させている間は、所定手順の終了処理の実行部以外（例えば、画像形成部１１など）への電力の供給を停止する。
このようにすることで、記憶部１２の動作を終了させている間に、モーターや定着ヒータなど消費電力が大きい画像形成部等に電力が供給されるのを防ぐことができ、バッテリー容量が足りなくなるのを防止することができる。
【００３７】
［その他］
以上、本発明を適用可能な実施の形態は、上述した実施の形態に限定されることなく、本発明の趣旨を逸脱しない範囲で適宜変更可能である。
【００３８】
例えば、上記実施の形態においては、異常が発生した後（ＡＣ電源遮断信号を受信した後）、ＵＰＳ２０の有無を判断しているが（ステップＳ１）、異常が発生する前（電源遮断信号が入力されるより前）に、ＵＰＳ検出部１３によりＵＰＳ２０の接続の有無を検出しておいて、その結果により後続の処理を判断することとしても良い。
例えば、画像形成装置１０にＵＰＳ２０が接続された時点で、「ＵＰＳ２０の接続有り」と設定されることとしても良いし、予め定められた所定周期においてＵＰＳ２０の有無を検出し、その結果が設定されても良い。
このようにすることで、通信時間がなくなるので、電源オフ処理をより迅速に行うことができる。
【００３９】
また、上記実施の形態においては、電源ケーブルＣＡに含まれる信号線によりＵＰＳ通知信号が送信されることとして説明したが、画像形成装置１０のＵＰＳ検出部１３と、ＵＰＳ２０のＵＰＳ通知部２３とが、無線通信にてＵＰＳ通知信号を送受信しても良い。
【００４０】
また、上記実施の形態においては、情報処理装置として画像形成装置を例示して説明したが、データを記憶可能なストレージを備えた装置であれば、情報処理装置は画像形成装置に限定されない。
【符号の説明】
【００４１】
１０  画像形成装置（情報処理装置）
１１  画像形成部
１２  記憶部（ストレージ）
１３  ＵＰＳ検出部（検出部）
１４  電力制御部
１４１  電源検出部
１５  メイン制御部（制御部）
１０Ａ  電力源
２０  無停電電源装置（ＵＰＳ）
２１  ＵＰＳ制御部
２２  バッテリー
２３  通知部
３０  ＡＣ電源（商用電源）
【図１】
2020042535.tif 000003
【図２】
2020042535.tif 000004
【図３】
2020042535.tif 000005
【図４】
2020042535.tif 000006
【図５】
2020042535.tif 000007
【図６】
2020042535.tif 000008